(57)【要約】【課題】光走査装置において、回転多面鏡や光源の組付け誤差に起因して、同期検知用の光ビームの走査位置が副走査方向に変位して光検知センサーの検知面から外れるのを防止する。【解決手段】光走査装置は、複数の光ビームのそれぞれについて、第一光検知センサー４１による光検知時から第二光検知センサー４２による光検知時までの時間を算出し、該算出した時間を基に、第一光検知センサー４１の検知面４１aの副走査方向の中央位置Ｐ０に対する各光ビームの副走査位置を算出する副走査位置算出部と、副走査位置算出部による算出結果を基に、複数の光ビームのうち上記中央位置Ｐ０からの距離が最小となる光ビームを特定し、該特定した光ビームを同期検知用の光ビームとして決定する決定部とを備えている。【選択図】図４
2019082500.tif 000002
【特許請求の範囲】
【請求項１】
光ビームを出射する発光部を複数有する光源と、該光源から出射される複数の光ビームを反射して主走査方向に走査させる回転多面鏡と、該回転多面鏡により反射された複数の光ビームを検知可能な検知面を有していて各光ビームを検知した時に検知信号を出力する第一光検知センサーと、該第一光検知センサーより出力される複数の検知信号のうち同期検知用の光ビームに対応する検知信号を同期信号として受信する制御部とを備えた光走査装置であって、
上記複数の光ビームを検知可能な検知面を有していて、光ビームの走査方向における当該検知面と上記第一光検知センサーの検知面との距離が副走査方向の位置によって異なるように構成された第二光検知センサーと、
上記複数の光ビームのそれぞれについて、上記第一光検知センサーによる光検知時から第二光検知センサーによる光検知時までの時間を算出し、該算出した時間を基に、上記第一光検知センサーの検知面の副走査方向の中央位置に対する各光ビームの副走査位置を算出する副走査位置算出部と、
上記副走査位置算出部による算出結果を基に、上記複数の光ビームのうち上記中央位置からの距離が最小となる光ビームを特定し、該特定した光ビームを上記同期検知用の光ビームとして決定する決定部とを備えている、光走査装置。
【請求項２】
請求項１記載の光走査装置において、
有底箱状をなすとともに上記回転多面鏡を収容するハウジング本体を備え、
上記第一及び第二光検知センサーは、上記ハウジング本体の底壁部に立設されており、
上記決定部は、上記複数の光ビームのうち上記中央位置からの距離が最小となる光ビームが二つ存在する場合には、該二つの光ビームのうちハウジング本体の天井側に近い方の光ビームを同期検知用の光ビームとして特定する、光走査装置。
【請求項３】
光ビームを出射する発光部を複数有する光源と、該光源から出射される複数の光ビームを反射して主走査方向に走査させる回転多面鏡と、該回転多面鏡により反射された複数の光ビームを検知可能な検知面を有していて各光ビームを検知した時に検知信号を出力する第一光検知センサーと、該第一光検知センサーから出力される複数の検知信号のうち同期検知用の光ビームに対応する検知信号を同期信号として受信する制御部とを備えた光走査装置において、上記複数の光ビームの中から一の光ビームを上記同期検知用の光ビームとして決定する決定方法であって、
上記光源に設けられた複数の発光部のうち一の発光部から光ビームを出射させる光出射工程と、
上記第一光検知センサーよりも回転多面鏡側において光ビームを検知可能であり且つ副走査方向に移動可能な移動光検知センサーを準備するセンサー準備工程と、
準備した上記移動光検知センサーを、その検知面が光ビームの光路外に位置する状態から光路内に入るまで直線移動させるセンサー移動工程と、
センサー移動工程において移動光検知センサーが最初に光ビームを受信した時の該移動光検知センサーの位置を基に、上記第一光検知センサーの検知面における副走査方向の中央位置に対する上記一の光ビームの副走査位置を算出するとともに、該算出した光ビームの副走査位置と、予め既知である複数の発光部同士の副走査方向の間隔とを基に、上記中央位置に対する他の光ビームの副走査位置を算出する算出工程と、
上記算出工程における算出結果を基に、上記中央位置からの距離が最小になる光ビームを特定して、該特定した光ビームを同期検知用の光ビームとして決定する決定工程とを含む、決定方法。
【請求項４】
請求項３記載の決定方法において、
上記決定工程は、上記中央位置からの距離が最小になる光ビームが二つ存在する場合には、該二つの光ビームのうち、上記回転多面鏡を収容するハウジング本体の天井側に近い方の光ビームを同期検知用の光ビームとして決定する、決定方法。
【発明の詳細な説明】
【技術分野】
【０００１】
本発明は、光走査装置及び同期検知用の光ビームの決定方法に関する。
【背景技術】
【０００２】
従来より、副走査方向の位置が異なる複数の光ビームを出射する光源と、該光源から出射された複数の光ビームを偏向走査させる回転多面鏡と、回転多面鏡により偏向走査された光ビームを被走査面上に結像させる結像レンズとを備えたマルチビーム型の光走査装置は知られている。
【０００３】
この種の光走査装置は、複数の光ビームによる画像データの書込みタイミングを同期させるべく光検知センサーを備えている（例えば、特許文献１参照）。回転多面鏡の光路下流側には、回転多面鏡にて偏向された複数の光ビームを反射して光検知センサーに導く反射ミラーが設けられている。光検知センサーは、反射ミラーにより反射された複数の光ビームを検知してそれぞれの検知信号を制御部に出力する。そして、制御部は、複数の光ビームのうち同期検知用の光ビームに対応する検知信号を同期信号として受信する。そして、制御部は、この同期信号の受信時を基準として各光ビームによる画像データの書き出しタイミングを制御する。
【先行技術文献】
【特許文献】
【０００４】
【特許文献１】特開２００８−２７９６３２号公報
【発明の概要】
【発明が解決しようとする課題】
【０００５】
上記特許文献１に示す従来のマルチビーム型の光走査装置では、回転多面鏡等の光学要素の組付け誤差に起因して、被走査面上における各光ビームの間隔及び光径がばらつく虞がある。
【０００６】
そこで、光走査装置の組立に際して、被走査面における各光ビームの間隔及び光径が設計値になるように光源の位置を調整する場合がある。
【０００７】
しかしこの場合、光源の調整位置によって光検知センサーに入射する光ビームの副走査位置が変化してしまう。この結果、同期検知用の光ビームが光検知センサーの検知面から外れて同期検知不能になるという問題がある。
【０００８】
本発明は、かかる点に鑑みてなされたものであり、その目的とするところは、回転多面鏡や光源の組付け誤差に起因して、同期検知用の光ビームの走査位置が副走査方向に変位して光検知センサーの検知面から外れるのを防止することにある。
【課題を解決するための手段】
【０００９】
本発明の一局面に係る光走査装置は、光ビームを出射する発光部を複数有する光源と、該光源から出射される複数の光ビームを反射して主走査方向に走査させる回転多面鏡と、該回転多面鏡により反射された複数の光ビームを検知可能な検知面を有していて各光ビームを検知した時に検知信号を出力する第一光検知センサーと、該第一光検知センサーより出力される複数の検知信号のうち同期検知用の光ビームに対応する検知信号を同期信号として受信する制御部とを備えている。
そして、上記複数の光ビームを検知可能な検知面を有していて、光ビームの走査方向における当該検知面と上記第一光検知センサーの検知面との距離が副走査方向の位置によって異なるように構成された第二光検知センサーと、上記複数の光ビームのそれぞれについて、上記第一光検知センサーによる光検知時から第二光検知センサーによる光検知時までの時間を算出し、該算出した時間を基に、上記第一光検知センサーの検知面の副走査方向の中央位置に対する各光ビームの副走査位置を算出する副走査位置算出部と、上記副走査位置算出部による算出結果を基に、上記複数の光ビームのうち上記中央位置からの距離が最小となる光ビームを特定し、該特定した光ビームを上記同期検知用の光ビームとして決定する決定部とを備えている。
本発明の他の局面に係る決定方法は、光ビームを出射する発光部を複数有する光源と、該光源から出射される複数の光ビームを反射して主走査方向に走査させる回転多面鏡と、該回転多面鏡により反射された複数の光ビームを検知可能な検知面を有していて各光ビームを検知した時に検知信号を出力する第一光検知センサーと、該第一光検知センサーから出力される複数の検知信号のうち同期検知用の光ビームに対応する検知信号を同期信号として受信する制御部とを備えた光走査装置において、上記複数の光ビームの中から一の光ビームを上記同期検知用の光ビームとして決定する方法である。
そして、上記光源に設けられた複数の発光部のうち一の発光部から光ビームを出射させる光出射工程と、上記第一光検知センサーよりも回転多面鏡側において光ビームを検知可能であり且つ副走査方向に移動可能な移動光検知センサーを準備するセンサー準備工程と、準備した上記移動光検知センサーを、その検知面が光ビームの光路外に位置する状態から光路内に入るまで直線移動させるセンサー移動工程と、センサー移動工程において移動光検知センサーが最初に光ビームを受信した時の該移動光検知センサーの位置を基に、上記第一光検知センサーの検知面における副走査方向の中央位置に対する上記一の光ビームの副走査位置を算出するとともに、該算出した光ビームの副走査位置と、予め既知である複数の発光部同士の副走査方向の間隔とを基に、上記中央位置に対する他の光ビームの副走査位置を算出する算出工程と、上記算出工程における算出結果を基に、上記中央位置からの距離が最小になる光ビームを特定して、該特定した光ビームを同期検知用の光ビームとして決定する決定工程とを含む。
【発明の効果】
【００１０】
本発明によれば、回転多面鏡や光源の組付け誤差に起因して、同期検知用の光ビームの走査位置が副走査方向に変位して光検知センサーの検知面から外れるのを防止することができる。
【図面の簡単な説明】
【００１１】
【図１】図１は、実施形態における光走査装置を備えた画像形成装置の全体構成を示す概略図である。
【図２】図２は、本実施形態における光走査装置の内部構造を示す平面図である。
【図３】図３は、光源を先端側から見た図である。
【図４】図４は、図２におけるIV方向矢視図である。
【図５】図５は、光走査装置の制御系の一部を示すブロック図である。
【図６】図６は、制御部にて実行される同期検知用の光ビームの決定処理を示すフローチャートである。
【図７】図７は、実施形態２を示す図２相当図である。
【図８】図８は、同期検知用の光ビームの決定方法を説明するための説明図であって図７のVIII方向矢視図に相当する図である。
【発明を実施するための形態】
【００１２】
以下、本発明の実施形態を図面に基づいて詳細に説明する。尚、本発明は、以下の実施形態に限定されるものではない。
【００１３】
《実施形態１》
図１は、本実施形態における光走査装置３０を備えたレーザプリンター１の概略構成を示す断面図である。
【００１４】
レーザプリンター１は、図１に示すように、箱状のプリンター本体２と、手差し給紙部６と、カセット給紙部７と、画像形成部８と、定着部９と、排紙部１０とを備えている。そうして、レーザプリンター１は、プリンター本体２内の搬送路Ｌに沿って用紙を搬送しながら、不図示の端末等から送信される画像データに基づいて用紙に画像を形成するように構成されている。
【００１５】
手差し給紙部６は、プリンター本体２の１つの側部に開閉可能に設けられた手差しトレイ４と、プリンター本体２の内部に回転可能に設けられた手差し用の給紙ローラ５とを有している。
【００１６】
カセット給紙部７は、プリンター本体２の底部に設けられている。カセット給紙部７は、互いに重ねられた複数の用紙を収容する給紙カセット１１と、給紙カセット１１内の用紙を１枚ずつ取り出すピックローラ１２と、取り出された用紙を１枚ずつ分離して搬送路Ｌへと送り出すフィードローラ１３及びリタードローラ１４とを備えている。
【００１７】
画像形成部８は、プリンター本体２内におけるカセット給紙部７の上方に設けられている。画像形成部８は、プリンター本体２内に回転可能に設けられた像担持体である感光体ドラム１６と、感光体ドラム１６の周囲に配置された帯電器１７と、現像部１８と、転写ローラ１９及びクリーニング部２０と、感光体ドラム１６の上方に配置された光走査装置３０と、トナーホッパー２１とを備えている。そうして、画像形成部８は、手差し給紙部６又はカセット給紙部７から供給された用紙に画像を形成するようになっている。
【００１８】
尚、搬送路Ｌには、送り出された用紙を、一時的に待機させた後に所定のタイミングで画像形成部８に供給する一対のレジストローラ１５が設けられている。
【００１９】
定着部９は、画像形成部８の側方に配置されている。定着部９は、互いに圧接されて回転する定着ローラ２２及び加圧ローラ２３を備えている。そうして、定着部９は、画像形成部８で用紙に転写されたトナー像を当該用紙に定着させるように構成されている。
【００２０】
排紙部１０は、定着部９の上方に設けられている。排紙部１０は、排紙トレイ３と、排紙トレイ３へ用紙を搬送するための排紙ローラ対２４と、排紙ローラ対２４へ用紙を案内する複数の搬送ガイドリブ２５とを備えている。排紙トレイ３は、プリンター本体２の上部に凹状に形成されている。
【００２１】
レーザプリンター１が画像データを受信すると、画像形成部８において、感光体ドラム１６が回転駆動されると共に、帯電器１７が感光体ドラム１６の表面を帯電させる。
【００２２】
そして、画像データに基づいて、レーザ光が光走査装置３０から感光体ドラム１６へ出射される。感光体ドラム１６の表面には、レーザ光が照射されることによって静電潜像が形成される。感光体ドラム１６上に形成された静電潜像は、現像部１８で現像されることにより、トナー像として可視像となる。
【００２３】
その後、用紙は、転写ローラ１９により感光体ドラム１６の表面に押し付けられる。そのことにより、用紙に感光体ドラム１６のトナー像が転写される。トナー像が転写された用紙は、定着部９において定着ローラ２２と加圧ローラ２３とにより加熱及び加圧される。その結果、トナー像が用紙に定着する。
【００２４】
次に、図２を参照して光走査装置３０の詳細を説明する。光走査装置３０は密閉状のハウジング３１を有している。ハウジング３１は、天井側が開放する有底箱状のハウジング本体３１ａと、ハウジング本体３１ａの天井側を閉塞する不図示の蓋部とを有している。ハウジング本体３１ａの側壁部には、マルチビーム型の光源３２が取付けられている。光源３２は、四つの発光部３２ａ〜３２ｄ（図３参照）を有するマルチビーム型の光源であって、四つの光ビームＤ１〜Ｄ４を出射する。尚、図２では、四つの光ビームＤ１〜Ｄ４を一本の二点鎖線で簡略化して示している。
【００２５】
ハウジング３１内には、光源３２から出射された光ビームＤ１〜Ｄ４を偏向走査させるポリゴンミラー３３が収容されている。ポリゴンミラー３３は、周面に複数の反射面を有する多角形状のミラーである。ポリゴンミラー３３は、ハウジング本体３１ａの底壁部にポリゴンモーターを介して支持されている。ポリゴンミラー３３と光源３２との間には、コリメータレンズ３５、シリンドリカルレンズ３６が配置されている。ハウジング本体３１ａの底壁部におけるポリゴンミラー３３の側方には結像レンズ３７が設けられている。結像レンズ３７は例えばｆθレンズにより構成されている
【００２６】
光源３２から出射された光ビームＤ１〜Ｄ４は、コリメータレンズ３５により平行光束とされた後、シリンドリカルレンズ３６によってポリゴンミラー３３の反射面に集光される。集光された光ビームＤ１〜Ｄ４は、ポリゴンミラー３３によって等角速度光に変換された後、結像レンズ（ｆθレンズ）３７によって等速度走査光に変換される。そして、結像レンズ３７を通過した光ビームＤ１〜Ｄ４は、不図示の折返しミラーにより反射されて感光体ドラム１６の表面に照射される。
【００２７】
ハウジング３１内には、同期検知ミラー４０、第一光検知センサー４１及び第二光検知センサー４２がさらに設けられている。同期検知ミラー４０、光ビームＤ１〜Ｄ４の有効走査範囲（実際に画像データの書き込みが行われる範囲）の走査開始側端の外側に設けられている。第一光検知センサー４１及び第二光検知センサー４２は有効走査範囲の走査終了側端の外側にてハウジング本体３１ａの底壁部に立設されている。
【００２８】
そして、同期検知ミラー４０は、ポリゴンミラー３３により偏向されて有効走査範囲を外れた光路を進む光ビームＤ１〜Ｄ４を反射して第一光検知センサー４１及び第二光検知センサー４２に入射させる。第一光検知センサー４１及び第二光検知センサー４２は、例えばフォトダイオード、フォトトランジスタ、フォトＩＣ等によって構成されている。第一光検知センサー４１及び第二光検知センサー４２は共にハウジング本体３１ａの底壁部に固定されている。
【００２９】
第一光検知センサー４１は、同期検知ミラー４０により反射された四つの光ビームＤ１〜Ｄ４を検知してその検知信号を制御部１００（図５参照）に出力する。制御部１００は、四つの光ビームＤ１〜Ｄ４のうち同期検知用の光ビームに対応する検知信号を同期信号として検知する。そして、制御部１００は、この同期信号を受信した時を基準として他の三つの光ビームによる画像データの書き出しタイミングを制御する。
【００３０】
第二光検知センサー４２は、制御部１００により四つの光ビームＤ１〜Ｄ４の中から同期検知用の光ビームを決定する際に利用されるセンサーである。
【００３１】
図４に示すように、第一光検知センサー４１及び第二光検知センサー４２はそれぞれ、細長いスリット状の検知面４１ａ，４２ａを有している。検知面４１ａ，４２ａは、光ビームの走査方向（主走査方向）に対して互いに異なる角度で交差している。第一光検知センサー４１は、検知面４１ａが副走査方向（主走査方向に直交する方向であって４の上下方向）に延びるように配置されている。第二光検知センサー４２は、検知面４２ａが副走査方向に対して所定角度θだけ傾斜するように配置されている。ここで、θは、０よりも大きく、π／２よりも小さい角度であれば如何なる角度であってもよく、本実施形態では例えばπ／４とされている。この構成によれば、光ビームの走査方向における第一光検知センサー４１の検知面４１ａと第二光検知センサー４２の検知面４２ａとの距離が、副走査方向の位置によって異なることとなる。
【００３２】
したがって、第一光検知センサー４１による光ビームの検知時から第二光検知センサー４２による光ビームの検知時までの時間（以下、検知時間差という）ｔは、光ビームの副走査位置によって異なる。すなわち、光ビームが、第一光検知センサー４１の検知面４１ａにおける副走査方向の中央位置Ｐ０を通過する場合の検知時間差ｔ０は、光ビームが中央位置Ｐ０よりも上側（ハウジング本体３１ａの天井側）の所定位置Ｐ１を通過する場合の検知時間差ｔ１よりも短く、光ビームが中央位置Ｐ０よりも下側（ハウジング３１の底部側）の所定位置Ｐ２を通過する場合の検知時間差ｔ２よりも長い。
【００３３】
制御部１００は、四つの光ビームＤ１〜Ｄ４のそれぞれについて、検知時間差ｔを測定して、測定した検知時間差ｔと、光ビームが中央位置Ｐ０を通過する場合の検知時間差ｔ０との差分値を算出し、該算出した差分値を基に、中央位置Ｐ０に対する光ビームの副走査位置を算出する。そして、制御部１００は、上記中央位置Ｐ０からの距離が最小になる光ビームを同期検知用の光ビームとして決定する。
【００３４】
図６は、制御部１００における同期検知用の光ビームの決定処理を示すフローチャートである。
【００３５】
ステップＳ１では、光源３２の各発光部３２ａ〜３２ｄより互いに時間差を空けて光ビームＤ１〜Ｄ４を順に出射するとともに、ポリゴンモーターによりポリゴンミラー３３を所定速度で回転させる。
【００３６】
ステップＳ２では、四つの光ビームＤ１〜Ｄ４のそれぞれについて、第一光検知センサー４１による光検知時から第二光検知センサー４２による光検知時までの時間（検知時間差ｔ）を算出する。この検知時間差ｔは、ポリゴンミラー３３の一回転当たりのサンプリング平均とすることが好ましい。
【００３７】
ステップＳ３では、ステップＳ２における算出結果を基に、四つの光ビームＤ１〜Ｄ４のそれぞれについて、第一光検知センサー４１の検知面４１ａにおける副走査方向の中央位置Ｐ０に対する副走査位置を算出する。
【００３８】
ステップＳ４では、ステップＳ３にて算出した各光ビームＤ１〜Ｄ４の副走査位置を基に、上記中央位置Ｐ０に最も近い光ビームを特定する。
【００３９】
ステップＳ５では、特定した光ビームが複数であるか否かを判定し、この判定がＮＯである場合にはステップＳ７に進む一方、ＹＥＳである場合にはステップＳ６に進む。
【００４０】
ステップＳ６では、ステップＳ５で特定した複数の光ビームのうちハウジング本体３１ａの天井側に近い光ビームを同期検知用の光ビームとして決定し、しかる後にリターンする。
【００４１】
ステップＳ５の判定がＮＯである場合に進むステップＳ７では、ステップＳ５で特定した光ビームを同期検知用の光ビームとして決定し、しかる後にリターンする。
【００４２】
以上説明したように、制御部１００は、四つの光ビームＤ１〜Ｄ４のそれぞれについて、第一光検知センサー４１による光検知時から第二光検知センサー４２による光検知時までの時間差を算出して、この時間差を基に、第一光検知センサー４１の検知面４１ａの副走査方向の中央位置Ｐ０に対する各光ビームＤ１〜Ｄ４の副走査位置を算出し、この算出結果を基に、四つの光ビームＤ１〜Ｄ４のうち上記中央位置Ｐ０に最も近い光ビームを特定し、該特定した光ビームを同期検知用の光ビームとして決定するように構成されている。
【００４３】
したがって、ポリゴンミラー３３や光源３２の組付け誤差に起因して同期検知用の光ビームが副走査方向に変位した場合に、該光ビームの通過位置が検知面４１ａから外れるのを極力回避することができる。
【００４４】
また、制御部１００は、第一光検知センサー４１の検知面４１ａの中央位置Ｐ０からの距離が最小になる光ビームが複数存在すると判定した場合には、ハウジング本体３１ａの天井側に近い光ビームを同期検知用の光ビームとして決定する。
【００４５】
この構成によれば、光走査装置３０の作動中にハウジング本体３１ａの熱変形により四つの光ビームＤ１〜Ｄ４の副走査位置が全体的に下側（ハウジング本体３１ａの底部側）に変位した場合に、同期検知用の光ビームが第一光検知センサー４１の検知面４１ａから外れるのを極力回避することができる。
【００４６】
《実施形態２》
図７及び図８は、実施形態２を示している。この実施形態では、複数の光ビームＤ１〜Ｄ４の中から同期検知用の光ビームを決定するための決定方法（本発明の決定方法）の一例を説明する。
【００４７】
この決定方法は、光出射工程、センサー準備工程、センサー移動工程、算出工程、及び決定工程を含んでいる。この決定方法は、光走査装置３０の組立工程において使用される。
【００４８】
光出射工程では、光源３２に設けられた複数の発光部３２ａ〜３２ｄのうちの一の発光部から光ビームを出射させる。
【００４９】
センサー準備工程では、第一光検知センサー４１よりもポリゴンミラー３３側において光ビームを検知可能で且つ副走査方向に移動可能な移動光検知センサー４３を準備する。移動光検知センサー４３は、手動式又は電動式の直線移動ステージ（直線移動機構）４４に固定されている。
【００５０】
移動工程では、移動光検知センサー４３を、直線移動ステージ４４によって、その検知面４３ａが光ビームの光路外に位置する状態から光路内に入る位置まで移動させる（図８参照）。
【００５１】
算出工程では、上記移動工程において移動光検知センサー４３が光ビームを最初に検知した時の当該センサー４３の位置を基に、第一光検知センサー４１の検知面４１ａの中央位置Ｐ０に対する光ビームの副走査位置を算出する。そして、算出した光ビームの副走査位置と、予め既知である複数の発光部３２ａ〜３２ｄ同士の副走査方向の間隔ｄとを基に、上記中央位置Ｐ０に対する他の三つの光ビームの副走査位置を算出する。
【００５２】
決定工程では、算出工程における算出結果を基に、中央位置Ｐ０からの距離が最小になる光ビームを特定する。そして、特定した光ビームが一つである場合には、当該光ビームを同期検知用の光ビームとして決定する一方、特定した光ビームが２つ存在する場合には、ハウジング本体３１ａの天井側に近い方の光ビームを同期検知用の光ビームとして決定する。
【００５３】
以上説明したように、本実施形態では、実施形態１と同様に、第一光検知センサー４１の検知面４１ａにおける副走査方向の中央位置Ｐ０からの距離が最小になる光ビームを同期検知用の光ビームとして決定するようにしている。したがって、実施形態１と同様の作用効果を得ることができる。
【００５４】
また、上記移動光検知センサー４３は、光走査装置３０の組立工程で使用するだけで、完成品である光走査装置３０には搭載されない。よって、実施形態１に比べて光走査装置３０に搭載される光検知センサーの数を低減して製品コストを抑制することができる。
【産業上の利用可能性】
【００５５】
以上説明したように、本発明は、光走査装置及び同期検知用の光ビームの決定方法について有用である。
【符号の説明】
【００５６】
１      ：レーザプリンター（画像形成装置）
３０    ：光走査装置
３１ａ  ：ハウジング本体（筐体）
３２    ：光源
３２ａ  ：発光部
３２ｂ  ：発光部
３２ｃ  ：発光部
３２ｄ  ：発光部
３３    ：ポリゴンミラー（回転多面鏡）
４０    ：同期検知ミラー
４１    ：第一光検知センサー
４１ａ  ：検知面
４２    ：第二光検知センサー
４２ａ  ：検知面
４３    ：移動光検知センサー
４３ａ  ：検知面
１００  ：制御部（副走査位置算出部、決定部）
Ｄ１    ：光ビーム
Ｄ２    ：光ビーム
Ｄ３    ：光ビーム
Ｄ４    ：光ビーム
Ｐ０    ：中央位置
ｔ      ：検知時間差
【図１】
2019082500.tif 000003
【図２】
2019082500.tif 000004
【図３】
2019082500.tif 000005
【図４】
2019082500.tif 000006
【図５】
2019082500.tif 000007
【図６】
2019082500.tif 000008
【図７】
2019082500.tif 000009
【図８】
2019082500.tif 000010